(57)【特許請求の範囲】
【請求項１】
アウトプットシャフトアッセンブリ、カウンターシャフトアッセンブリ及びシフトシャフトアッセンブリのトランスミッションサブアッセンブリをシフトシャフトの２重噛合を防止するインターロックブロックを組付けるために前記シフトシャフトをニュートラル位置決めしてトランスミッションのフロントケースに組み付ける工具であって、
前記アウトプットシャフトとカウンターシャフト端がそれぞれ嵌挿される２つの穴と、前記アウトプットシャフトを基準として軸方向の位置きめ部と、前記穴を貫通したアウトプットシャフト端に螺合する締め付けナットと、ハンガーとを備えた主プレートに、
前記シフトシャフト端を嵌挿する穴と、この穴に嵌挿されたシフトシャフトをロックするロックピンとを備えたシフトシャフトロックプレートを固設したことを特徴とするトランスミッションの組立工具。
【発明の詳細な説明】
【０００１】
【発明の属する技術分野】
本発明は、アウトプットシャフトアッセンブリ、カウンターシャフトアッセンブリ及びシフトシャフトアッセンブリのトランスミッションサブアッセンブリをトランスミッションのフロントケースに組み付けるための組立工具に関するものである。
【０００２】
【従来の技術】
図４で示すように、アウトプットシャフトアッセンブリ、カウンターシャフトアッセンブリ及びシフトシャフトアッセンブリのトランスミッションサブアッセンブリをトランスミッションのフロントケース１１に組み付けるために専用の工具を用いている。この工具は主プレート１にアウトプットシャフト１４とカウンターシャフト１５端がそれぞれ嵌挿される２つの穴２，３と、前記アウトプットシャフト１４を基準として軸方向の位置決め部１３と、前記穴２を貫通したアウトプットシャフト１４端に螺合し、アウトプットシャフト１４端が貫通するパイプ５に締め付けるナット９と、ハンガー４とを備えた構造である。
【０００３】
前記トランスミッションサブアッセンブリをトランスミッションのフロントケース１１に組み付ける際にシフトシャフトの２重噛合を防止するインターロックブロック１２を組み付ける。このシフトシャフトの２重噛合を防止するインターロックブロック１２は図５で示すように、前進段用の複数のシフトシャフト１０ａと後退段用の１本のシフトシャフト１０ｂの２重シフトを防止するための位置決めプランジャ１８と、このプランジャ１８をシフトシャフト１０ａ，１０ｂのシフトによって軸方向に作動させるピン１９とを備えた構造であり、トランスミッションのフロントケース１１に固定されるものである。
【０００４】
【発明が解決しようとする課題】
上記の組立工具を用いてトランスミッションサブアッセンブリをホイスト等により吊り下げてトランスミッションのフロントケース１１に組み付けているが、シフトシャフトの２重噛合を防止するインターロックブロック１２を組み付ける時には、多数本の各シフトシャフト１０ａ，１０ｂを作業者が一方の手でニュートラルの位置に揃え、他方の手でインターロックブロック１２を移動させて組み付けていた。このため、シフトシャフトの２重噛合を防止するインターロックブロック１２の組み付けが容易ではなかった。
【０００５】
本発明の目的は、シフトシャフトの２重噛合を防止するインターロックブロックの組み付けを容易にし、作業労力を低減したトランスミッションの組立工具を提供することである。
【０００６】
【課題を解決するための手段】
上記の目的を達成するための本発明は、アウトプットシャフトアッセンブリ、カウンターシャフトアッセンブリ及びシフトシャフトアッセンブリのトランスミッッションサブアッセンブリをシフトシャフトの２重噛合を防止するインターロックブロックを組付けるために前記シフトシャフトをニュートラル位置決めしてトランスミッションのフロントケースに組み付ける工具であって、前記アウトプットシャフトとカウンターシャフト端がそれぞれ嵌挿される２つの穴と、前記アウトプットシャフトを基準として軸方向の位置決め部と、前記穴を貫通したアウトプットシャフト端に螺合する締め付けナットと、ハンガーとを備えた主プレートに、前記シフトシャフト端を嵌挿する穴と、この穴に嵌挿されたシフトシャフトをロックするロックピンとを備えたシフトシャフトロックプレートを固設したことを特徴とするものである。
【０００７】
【発明の実施の形態】
以下本発明の実施の形態を図面に基づいて説明する。図１は本発明による組立工具である。図１において、１は主プレートであり、この主プレート１には後述するアウトプットシャフト１４端が嵌挿される穴２とカウンターシャフト１５端が嵌挿される穴３と、前記アウトプットシャフト１４を基準として軸方向の位置決め部１３（図４で示す）と、前記穴２と同心で主プレート１上に固設されたパイプ５と、前記穴２とパイプ５を貫通したアウトプットシャフト１４端のねじに螺合し、前記パイプ５に締め付けるナット９と、ハンガー４とを備えている。
【０００８】
さらに、前記主プレート１の側端にはシフトシャフトロックプレート６が固設されている。このシフトシャフトロックプレート６には、後述するシフトシャフト１０ａ，１０ｂ端を嵌挿する穴７ａ，７ｂと、この穴７ａ，７ｂに嵌挿されたシフトシャフト１０ａ，１０ｂをロックするロックピン８ａ，８ｂとを備えている。
【０００９】
図示の実施形態では、３つの穴７ａと１つの穴７ｂとによるものである。これは、３本の前進段のシフトシャフト１０ａと１本の後退段のシフトシャフト１０ｂによるトランスミッションを例にしたものであり、穴７ａは前進段のシフトシャフト１０ａの本数に対応して設けられる。
【００１０】
また、一方のロックピン８ａは３つの穴７ａに嵌挿された前進段の各シフトシャフト１０ａに形成されているニュートラル位置決めの切欠溝に係合し、他方のロックピン８ｂは後退段のシフトシャフト１０ｂに形成されているニュートラル位置決めの切欠溝に係合するものである。この後退段のシフトシャフト１０ｂは構成上で前進段の各シフトシャフト１０ａに対し偏心した位置であるため、後退段のシフトシャフト１０ｂの専用のロックピン８ｂを必要としているが、前進段の各シフトシャフト１０ａ及び後退段のシフトシャフト１０ｂの全てが同心線上に配置されている構成の場合では、１本のロックピンにて共通してロックさせることが可能であり、ロックピンの本数はシフトシャフトの配置形態に応じて設定される。
【００１１】
上記の構造よりなる本発明の工具を用いた組立要領についての説明する。
図４で示すように、アウトプットシャフト１４端を主プレート１の穴２とパイプ５に嵌挿し、図２及び図３で示すように、シフトシャフト１０ａ端をシフトシャフトロックプレート６の穴７ａに嵌挿してロックピン８ａにてニュートラル位置でロックし、また、シフトシャフト１０ｂ端もシフトシャフトロックプレート６の穴７ｂに嵌挿してロックピン８ｂにてニュートラル位置でロックする。そして、アウトプットシャフト１４端部に形成されているねじを利用してこれにナット９を螺合し、パイプ５端に締め付ける。これによって主プレート１は位置決め部１３がアウトプットシャフト１４に装着されているギヤに当接して軸方向の位置決めが行われると共に、主プレート１はアウトプットシャフト１４と結合して一体化される。
【００１２】
次に、カウンターシャフト１５端を主プレート１の穴３に嵌挿し、スナップリング２０でカウンターシャフト１５端を主プレート１に係合する。これで、アウトプットシャフトアッセンブリ、カウンターシャフトアッセンブリ及びシフトシャフトアッセンブリのトランスミッションアッセンブリは工具に固定され、この状態でホイストでハンガー４を介して吊り上げ、トランスミッションのフロントケース１１に取り付ける。
【００１３】
前記アウトプットシャフトアッセンブリ、カウンターシャフトアッセンブリ及びシフトシャフトアッセンブリのトランスミッションサブアッセンブリをトランスミッションのフロントケース１１に取り付けてシフトシャフトの２重噛合を防止するインターロックブロック１２を組み付ける時にシフトシャフト１０ａ，１０ｂはニュートラル位置に置かれていることが必要である。
【００１４】
本発明では、シフトシャフト１０ａ，１０ｂの全てがシフトシャフトロックプレート６にニュートラル位置でロックされているため、従来のように、多数本の各シフトシャフト１０ａ，１０ｂを作業者が一方の手でニュートラルの位置に揃え、他方の手でインターロックブロック１２を移動させて組み付ける作業が不要となり、インターロックブロック１２を容易に組み付けることができる。
【００１５】
【発明の効果】
以上述べたように本発明によると、アウトプットシャフトアッセンブリ、カウンターシャフトアッセンブリ及びシフトシャフトアッセンブリのトランスミッションサブアッセンブリをトランスミッションのフロントケースに組み付ける際におけるシフトシャフトの２重噛合を防止するインターロックブロックの組み付けが容易になり、組立作業の能率が向上すると共に、インターロックブロックの組み付け作業に要していた作業者の両手が空くため、作業者の両手はトランスミッションサブアッセンブリをトランスミッションのフロントケースに組み付ける位置合わせの移動等に専念することができ、安全な状態で組立作業を行うことができる。
【図面の簡単な説明】
【図１】本発明の組立工具の斜視図
【図２】本発明の組立工具の平面図
【図３】本発明の組立工具にシフトシャフトをロックした状態の側面図
【図４】本発明の組立工具による組立状態の断面図
【図５】インターロックブロックを示す正面図
【符号の説明】
１    主プレート
２    穴
３    穴
４    ハンガー
５    パイプ
６    シフトシャフトロックプレート
７ａ  穴
７ｂ  穴
９    ナット
１０ａ  シフトシャフト
１０ｂ  シフトシャフト
１１    フロントケース
１２    インターロックブロック
１３    位置決め部
１４    アウトプットシャフト
１５    カウンターシャフト
【図１】
0003737304.tif 000002
【図２】
0003737304.tif 000003
【図３】
0003737304.tif 000004
【図４】
0003737304.tif 000005
【図５】
0003737304.tif 000006